Podtech/llm-jp-corpus-v4-ja_patent huggingface dataset:
(57)【要約】【課題】収納物を少量の材料で簡単に固定包装できる包装箱を提供する。【解決手段】対向する２組の側板１，２の下縁からそれぞれ延出した内フラップ３及び外フラップ４を重ね合わせて底面を閉止する包装箱において、前記内フラップ３を先端中央部から基端両側方へ切り込んで形成した巻込片８を巻き込み、その先端部を巻込片８の外側に形成した差込穴９に差し込んで、巻込片８の巻込状態を保持し、４個の巻込片８が収納物の外周に沿うようにする。【選択図】　図２
2004131114.tif 000002
【特許請求の範囲】
【請求項１】
対向する２組の側板１，２の下縁からそれぞれ延出した内フラップ３及び外フラップ４を重ね合わせて底面を閉止する包装箱において、前記内フラップ３を先端中央部から基端両側方へ切り込んで形成した巻込片８を巻き込み、その先端部を巻込片８の外側に形成した差込穴９に差し込んで、巻込片８の巻込状態を保持し、４個の巻込片８が収納物の外周に沿うようにしたことを特徴とする固定パッド付き包装箱。
【発明の詳細な説明】
【０００１】
【発明の属する技術分野】
この発明は、照明器具等の包装に使用する固定パッド付き包装箱に関する。
【０００２】
【従来の技術】
例えば、円形の照明器具を包装する際には、図６に示すように、対向する２組の側板５１，５２の上下縁から内フラップ５３及び外フラップ５４をそれぞれ延出した段ボール製の包装箱５０が使用される。
【０００３】
この包装箱５０には、底面を閉止した状態で、下パッド５５が挿入される。下パッド５５は、円形の切抜穴５７を有する支持板５６の各辺から脚板５８を延出して下方へ折り曲げたものであり、その切抜穴５７に照明器具Ｌを嵌め込むようにセットすると、下パッド５５で照明器具Ｌの移動が阻止される。
【０００４】
そして、照明器具Ｌの上には、上パッド５９が載置される。この上パッド５９は、枡形に連設した載置板６０の下部に弧状縁６１を形成したものであり、図７に示すように、照明器具Ｌの上面に弧状縁６１を沿わせ、包装箱５０の天面側の内フラップ５３及び外フラップ５４を折り重ねて封緘すると、上パッド５９で天面側に緩衝空間が確保される。
【０００５】
【発明が解決しようとする課題】
しかしながら、上記のように、包装箱５０の他に、別途パッド５５，５９を挿入して収納物を固定する包装形態では、多量の材料を必要とするほか、パッド５５，５９の組立や挿入等に手間がかかるという問題もある。
【０００６】
そこで、この発明は、収納物を少量の材料で簡単に固定して包装できる包装箱を提供しようとするものである。
【０００７】
【課題を解決するための手段】
上記課題を解決するため、この発明は、対向する２組の側板からそれぞれ内フラップ及び外フラップを延出した包装箱において、底面側の内フラップを先端中央部から基端両側方へ切り込んで形成した巻込片を巻き込み、その先端部を巻込片の外側に形成した差込穴に差し込んで、巻込片の巻込状態を保持し、４個の巻込片を収納物の外周に沿わせて、収納物の移動を阻止するようにしたのである。
【０００８】
【発明の実施の形態】
この実施形態に係る包装箱の段ボール製ブランクでは、図１に示すように、側板１，２が２枚ずつ交互に連設され、その下縁に内フラップ３及び外フラップ４が、上縁に内フラップ５及び外フラップ６がそれぞれ連設されている。また、一方の側板２の外側縁には継代片７が連設されている。
【０００９】
下方の内フラップ３には、先端中央部から基端両側方へ切り込んで、基端及び中間部に幅方向の折目を有する斜向きの巻込片８が形成され、巻込片８の基端折目より外側にコ字状の差込穴９が形成されている。巻込片８の先端部では、段ボールが押し潰されている。
【００１０】
また、上方の内フラップ５には、多数の縦切目及び横折目を入れて、交互にずれた頂部１０が形成され、その先端側に巻込部１１が形成されている。
【００１１】
上記のようなブランクを組み立てて円形の照明器具を包装する際には、図２に示すように、各一対の側板１，２を継代片７を介して接合し、下方の内フラップ３及び外フラップ４を重ね合わせて固着し、底面を閉止する。
【００１２】
そして、各巻込片８を折目沿いに上方外側へ巻き込むように折り曲げ、その先端部を差込穴９に差し込んで、巻込片８を巻き込んだ状態に保持する。
【００１３】
この状態で、円形の照明器具Ｌを４個の巻込片８の内側に挿入すると、図２及び図５に示すように、巻込片８が照明器具Ｌの外周に沿うので、箱内での照明器具Ｌの移動が阻止される。
【００１４】
次に、上方の内フラップ５を巻き込んで、頂部１０を交互に傾斜させ、図３及び図４に示すように、巻込部１１が照明器具Ｌの上面に沿うようにし、外フラップ６を重ねて封緘すると、照明器具Ｌの上側に緩衝空間が確保される。
【００１５】
このような包装箱では、別途パッドを使用することなく、円形の照明器具Ｌを固定できるので、材料の使用量が抑制され、また、従来の包装箱と同一輪郭のブランクから組み立てるので、従来の製造ラインをそのまま使用できる。
【００１６】
また、底組み時には、巻込片８を巻き込んで、その先端部を差込穴９に差し込むだけであり、封緘時には、上方の内フラップ５を巻き込むだけなので、作業性がよく、照明器具Ｌの包装作業を迅速に行うことができる。
【００１７】
【発明の効果】
以上のように、この発明に係る包装箱では、側板から延出した内フラップを巻き込んで、収納物を固定することとしたので、別部材のパッドが不要となり、材料の使用量が抑制されるほか、包装時にパッドの組立や挿入を行う必要がなく、包装作業性も向上する。
【図面の簡単な説明】
【図１】この発明に係る包装箱のブランクを示す図
【図２】同上の包装過程を示す斜視図
【図３】同上の包装状態を示す斜視図
【図４】同上の縦断正面図
【図５】同上の横断平面図
【図６】従来の包装形態を示す分解斜視図
【図７】同上の包装状態を示す斜視図
【符号の説明】
１，２　側板
３，５　内フラップ
４，５　外フラップ
８　巻込片
９　差込穴
【図１】
2004131114.tif 000003
【図２】
2004131114.tif 000004
【図３】
2004131114.tif 000005
【図４】
2004131114.tif 000006
【図５】
2004131114.tif 000007
【図６】
2004131114.tif 000008
【図７】
2004131114.tif 000009
(57)【要約】【課題】ＣＤと紙媒体を一緒に携帯でき、また一緒に保管できる携帯用データケースを提供する。【解決手段】Ａ４用紙が収納できる大きさの扁平容器状の本体１と、当該本体の上面を閉塞すると共に、一縁部分をヒンジ機構で連結して開閉自在とし、ヒンジ縁と対向する縁部に係止機構４を設けた扁平な蓋体２とを備え、蓋体の上面に、ＣＤケースやＤＶＤケースが２個並べて収納できる浅い凹部２１と、前記凹部の開閉を行う上蓋体２２とを設けてなる。【選択図】　　図２
2004131124.tif 000002
【特許請求の範囲】
【請求項１】
Ａ４用紙が収納できる大きさの扁平容器状の本体と、当該本体の上面を閉塞すると共に、一縁部分をヒンジ機構で連結して開閉自在とし、ヒンジ縁と対向する縁部に係止機構を設けた扁平な蓋体とを備え、蓋体の上面に、ＣＤケースやＤＶＤケースが２個並べて収納できる浅い凹部と、前記凹部の開閉を行う上蓋体とを設けてなることを特徴とする携帯用データケース。
【請求項２】
複数の請求項１記載の携帯用データケースと、前部開口の箱形本体とで構成され、本体の左右内壁面或いは上下内面に、携帯用データケースを多段に積み重ね或いは並列収納できる載置突部或いは仕切突部を突設してなることを特徴とする保管用ラック。
【発明の詳細な説明】
【０００１】
【産業上の利用分野】
本発明は、紙やＣＤ等のデータの媒体を携帯したり、保管するためのデータケース及びケースラックに関するものである。
【０００２】
【従来の技術及び発明が解決しようとする課題】
ＣＤを携帯するためのケースとしては、特開平１１−１８９２８５号公報に開示されているような多段ケースや、特開平１１−３２１９５９号公報に開示されているような並列収納ケースなどが知られている。
【０００３】
しかしこれらのものはＣＤ専用であり、紙媒体の携帯について全く考慮されていない。勿論特開２００２−２５３３２２号公報に開示されているパソコン携帯用カバン等に、ポケットを付設して、ケースに収納されたＣＤ（単体又は複数収納）を前記ポケットに納めて携帯するようにしても、やはり紙媒体は別収納となる。そして紙媒体は、折れ曲がりを防止するために独自のケースに収納して携帯する必要がある。
【０００４】
また多数のＣＤを収納するためのラックの例として、特開平１１−１６９２４５号公報や特開２００２−２６４９８３号公報に示されているとおり、単体収納のケースを多段に並列又は積層する形式である。勿論ＣＤの携帯は、各単体ケース毎である。
【０００５】
そこで本発明は、ＣＤと紙媒体を一緒に携帯でき、また一緒に保管できる携帯用データケース及びその保管用ラックを提案したものである。
【０００６】
【課題を解決する手段】
本発明に係る携帯用データケースは、Ａ４用紙が収納できる大きさの扁平容器状の本体と、当該本体の上面を閉塞すると共に、一縁部分をヒンジ機構で連結して開閉自在とし、ヒンジ縁と対向する縁部に係止機構を設けた扁平な蓋体とを備え、蓋体の上面に、ＣＤケースやＤＶＤケースが２個並べて収納できる浅い凹部と、前記凹部の開閉を行う上蓋体とを設けてなることを特徴とするものである。
【０００７】
従って紙媒体とＣＤ（又はＤＶＤ）の両方を一緒に携帯できる。しかも単独で携帯することも、又はパソコン携帯カバンに前記ケース毎収納携帯することで、紙媒体や印刷用紙を折れ曲がり防止状態で携帯できる。
【０００８】
また本発明に係る保管用ラックは、前記の携帯用データケース複数個と、前部開口の箱形本体とで構成され、本体の左右内壁面或いは上下内面に、携帯用データケースを多段に積み重ね或いは並列収納できる載置突部或いは仕切突部を突設してなることを特徴とするものである。
【０００９】
従って紙媒体とＣＤ（ＤＶＤ）を一緒に携帯できるデータケースを、一緒にラック保管が可能であり、しかもそのままデータケースを取り出して携帯に使用することもできる。
【００１０】
【実施の形態】
次に本発明の実施形態について説明する。実施形態に示した携帯用データケースＡは、樹脂成形で製出される本体１と、蓋体２とで構成されている。
本体１と蓋体２とは、通常の簡易鞄と同様に扁平であり、一縁にヒンジ機構３を設け、ヒンジ縁と対向する縁部に係止機構４を設け、開閉自在の鞄ケースとしたものである。
【００１１】
特に本体１は、Ａ４用紙が収納できる大きさで且つＡ４用紙が１００枚以下程度収納される紙収納凹部を有する扁平容器状に形成したものであり、ヒンジ機構３及び係止機構４は、適宜公知構造を採用する。
【００１２】
更に蓋体２は、蓋体２の上面にＣＤケースやＤＶＤケースが２個並べて収納できる浅い凹部２１と、前記凹部２１の開閉を行う上蓋体２２とを設けてなる。勿論上蓋体２２の基部はヒンジ連結し、ヒンジ軸と対向する縁部に、係止部２３を設けてなる。
【００１３】
この係止部２３は、樹脂の弾性を利用した係止機構で良いし、また上蓋体２２の開閉を容易にするように、係止部２３近傍の蓋体２の上面に、指操作用凹部２４を設けておく。
【００１４】
また保管用ラックの本体Ｂは、前記携帯用データケースＡと対応する大きさで、本体Ｂの左右内壁に、携帯用データケースＡを多段に積み重ね収納できる載置突部５を突設してなる。
【００１５】
而して携帯用データケースＡの本体１内は所定の用紙を収納し、上蓋体２２で開閉される凹部２１には、ＣＤやＤＶＤを収納したプラスチックケースを収納できる。この収納状態のまま、保管用ラックの本体Ｂに多段収納して、整理整頓が容易になされ、同時にそのまま引き出して携帯することもできる。
【００１６】
尚ラック本体Ｂは横倒使用も可能であり、横倒使用の場合には、データケースＡの並列収納となり、載置突部５は仕切突部となる。
【００１７】
【発明の効果】
以上のように本発明は、Ａ４用紙が収納できる大きさの扁平容器状の本体と、当該本体の上面を閉塞する扁平な蓋体とを備え、蓋体の上面に、ＣＤケースやＤＶＤケースが２個並べて収納できる浅い凹部と、前記凹部の開閉を行う上蓋体とを設けてなるデータケースであり、また前記データケースを多段積層又は多数並列する保管用ラックで、紙媒体とＣＤ（又はＤＶＤ）の両方を一緒に携帯できると共に、非携帯時には、保管用ラックに多段収納して、整理整頓が容易になされる。
【図面の簡単な説明】
【図１】本発明のデータケースの実施形態の全体図（上蓋体閉塞状態）。
【図２】同データケースの実施形態の全体図（上蓋体開放状態）。
【図３】同データケースの実施形態の全体図（蓋体開放状態）。
【図４】同保管ラックの使用状態の説明図（ケース取り出し状態）。
【図５】同保管ラックの使用状態の説明図（ケース収納状態）。
【符号の説明】
Ａ　　　　データケース
１　　　　本体
１１　　　紙収納凹部
２　　　　蓋体
２１　　　凹部
２２　　　上蓋体
２３　　　係止部
２４　　　指操作用凹部
３　　　　ヒンジ機構
４　　　　係止機構
Ｂ　　　　保管用ラック本体
５　　　　載置突部
【図１】
2004131124.tif 000003
【図２】
2004131124.tif 000004
【図３】
2004131124.tif 000005
【図４】
2004131124.tif 000006
【図５】
2004131124.tif 000007
(57)【要約】【課題】堆肥処理の初期投入時、切り返し時の発塵を防止するとともに、良好な水分吸収性能を有し、また粉体への復元性（崩壊性）にも優れ、堆肥化副資材や肥料として優れた性能を発揮する人工珪酸カルシウム系粉体材料からなる粒状体の造粒方法を提案する。【解決手段】人工珪酸カルシウム系粉体材料にリン酸水溶液をバインダーとして混合し、粒度２〜１０ｍｍ、水分率４０％以下、崩壊力５ｋｇ以下に造粒することを特徴とする。【選択図】　　　なし【特許請求の範囲】
【請求項１】
人工珪酸カルシウム系粉体材料にリン酸水溶液をバインダーとして混合し、粒度２〜１０ｍｍ、水分率４０％以下、崩壊力５ｋｇ以下に造粒することを特徴とする人工珪酸カルシウム系粉体材料の造粒方法。
【発明の詳細な説明】
【０００１】
【発明の属する技術分野】
本発明は、家畜糞尿または下水汚泥等の有機質廃棄物の堆肥化副資材、肥料等に用いられる人工珪酸カルシウム系粉体材料の造粒方法に関する。
【０００２】
【従来の技術】
従来、家畜糞尿または下水汚泥等の有機質廃棄物の堆肥化副資材（おがくず等の堆肥化促進材）、肥料等に用いられる人工珪酸カルシウム系粉体材料としては、シリカのような珪酸質原料と石灰、セメントのような石灰質原料を水スラリーとして混合し、高温高圧水蒸気養生して得られる人工鉱物であるトバモライトまたはゾノトライトから選ばれる多孔質の珪酸カルシウム水和物が用いられる。人工珪酸カルシウム系粉体材料がは、堆肥化副資材、肥料等に用いられるのは、人工珪酸カルシウムの持つ多孔性と珪酸、カルシウム等の溶解速度が堆肥等によくなじむからである。
ところが、家畜糞尿の堆肥化については、機械式堆肥場を所有する畜産農家が少なく、ほとんどの畜産農家は、屋根付堆肥場において、ペイローダー等を使用して堆肥の切り返しを行つており、前記粉体を使用する場合は、初期投入時、切り返し時の発塵が問題であった。
【０００３】
【発明が解決しようとする課題】
本発明は、前記した従来の問題を解決するためになされたもので、堆肥処理の初期投入時、切り返し時の発塵を防止するとともに、良好な水分吸収性能を有し、また粉体への復元性（崩壊性）にも優れ、堆肥化副資材や肥料として優れた性能を発揮する人工珪酸カルシウム系粉体材料からなる粒状体の造粒方法を提案しようとするものである。
【０００４】
【課題を解決するための手段】
本発明に係る人工珪酸カルシウム系粉体材料の造粒方法は、人工珪酸カルシウム系粉体材料にリン酸水溶液をバインダーとして混合し、粒度２〜１０ｍｍ、水分率４０％以下、崩壊力５ｋｇ以下に造粒することを特徴とするものである。
【０００５】
本発明において、人工珪酸カルシウム系粉体材料の造粒にリン酸水溶液をバインダーとして使用したのは、リン酸カルシウムの形成による軽微な結合を可能となし、初期投入時、切り返し時に容易に元の粉体状態に復元させることができるからである。バインダーとして使用するリン酸は各種の植物に有効な成分でもある。
また、前記リン酸水溶液をバインダーとして使用する造粒方法には、撹拌混合式造粒機を用いることができる。この撹拌混合式造粒機の場合は、リン酸水溶液の規定数Ｎを変更することにより、造粒径の調整が容易に行えるとともに、水をバインダーとして使用したものに比べ造粒体の水分率を５〜１０％低く抑えることが可能であり、前記有機質廃棄物の堆肥化に必要な水分の吸着機能を損なうことがない。なお、リン酸水溶液の規定数Ｎの範囲は、人工珪酸カルシウム系粉体材料の表面のみ酸化させて当該粉体の結合促進をはかることを考慮すると、０．１〜２Ｎ程度である。
【０００６】
また、本発明において、造粒条件を粒度２〜１０ｍｍ、水分率４０％以下、崩壊力５ｋｇ以下と限定したのは、以下に記載する理由による。
造粒体の粒度を２〜１０ｍｍに限定したのは、２ｍｍ未満では課題である初期投入時等の発塵を完全に予防できず、他方、１０ｍｍを超えると粉体の復元性が完全に行われず、堆肥への残留が問題となるからである。
また、水分率を４０％以下と限定したのは、本発明の目的である家畜糞尿または下水汚泥の持つ水分の吸収が不十分となり、堆肥化への時間が長くなるためである。
さらに、崩壊力を５ｋｇ以下と限定したのは、初期投入時、切り返し時の造粒品に与える衝撃力から推察し、粉体への復元が可能な範囲として５ｋｇ以下が妥当だからである。
【０００７】
【発明の実施の形態】
本発明方法を実施するための装置としては、前記したごとく既存の撹拌混合式造粒機を用いることができる。この種の造粒機としては、例えば三井鉱山株式会社製のＴＭ型造粒ミキサーが知られている。
また、人工珪酸カルシウム系粉体材料としては、軽量気泡コンクリート粉（ＡＬＣ粉）が代表的である。
本発明では、撹拌混合式造粒機に人工珪酸カルシウム系粉体材料とリン酸水溶液を投入し、粒度２〜１０ｍｍ、水分率４０％以下、崩壊力５ｋｇ以下に造粒する。造粒径は、リン酸水溶液の規定数Ｎを変更することにより調整する。
造粒物の崩壊力は、例えば圧縮試験機等によって測定することができる。圧縮試験機には、例えばスプリング式の木屋式硬度計、Ｍｏｎｓａｎｔｏ硬度計等、油圧式のＳｔｒｏｎｇ−Ｃｏｂｂ硬度計、重錘水平移動式のＥｒｗｅｋａ錠剤硬度試験機等がある。
【０００８】
【実施例】
人工珪酸カルシウム粉体原料として表１に示す化学組成を有するＡＬＣ粉（粒度５０ミクロン〜１ｍｍ）を用い、表２に示す仕様の撹拌混合式造粒機（三井鉱山株式会社製ＴＭ型造粒ミキサー）により、表３に示す原料配合条件で造粒した。本実施例では、▲１▼１Ｎリン酸水溶液、▲２▼５Ｎリン酸水溶液を用いて造粒した。その結果を表４に示す。表４中、崩壊力はスプリング式の木屋式硬度計で求めた値である。なお、表３、表４には、比較のため、バインダーに水のみを使用して造粒した例を併せて示す。
表４の結果より明らかなごとく、本発明方法による造粒体は、水をバインダーとして造粒したものに比べ良好な水分吸収性能を有すると共に、粉体への復元性（崩壊性）にも優れることがわかる。
【０００９】
【表１】
2004131308.tif 000002
【００１０】
【表２】
2004131308.tif 000003
【００１１】
【表３】
2004131308.tif 000004
【００１２】
【表４】
2004131308.tif 000005
【００１３】
【発明の効果】
以上説明したごとく、本発明方法によれば、良好な水分吸収性能を有すると共に、粉体への復元性（崩壊性）にも優れ、堆肥化副資材や肥料として優れた性能を発揮する、人工珪酸カルシウム系粉体材料からなる造粒体を得ることができるとともに、造粒体であるから堆肥処理の初期投入時、切り返し時の発塵を防止でき、家畜糞尿または下水汚泥等の有機質廃棄物の堆肥化処理にも大なる効果を奏する。
(57)【要約】【目的】化粧を落とした後、石鹸や水等により洗顔を行う必要がなく、肌に悪影響を与えることのない化粧落とし用液を提供する。【構成】電気伝導度が５０μＳ／ｃｍ以下の精製水に植物性界面活性剤、アルカリ金属塩、またはアルカリ土類金属塩のいずれかを混合して化粧落とし用液を得た。【選択図】　　　　なし【特許請求の範囲】
【請求項１】
電気伝導度が５０μＳ／ｃｍ以下の精製水からなる化粧落とし用液。
【請求項２】
電気伝導度が５０μＳ／ｃｍ以下の精製水に植物性界面活性剤、アルカリ金属塩、またはアルカリ土類金属塩のいずれかを混合して得られる化粧落とし用液。
【請求項３】
酸化還元電位が−２００ｍＶ以下の電解水に植物性界面活性剤、アルカリ金属塩、またはアルカリ土類金属塩のいずれかを混合して得られる化粧落とし用液。
【請求項４】
７０００ガウス以上の磁界中を循環させた水に植物性界面活性剤、アルカリ金属塩、またはアルカリ土類金属塩のいずれかを混合して得られる化粧落とし用液。
【請求項５】
水道水、井戸水または川の水に植物性界面活性剤、アルカリ金属塩、またはアルカリ土類金属塩のいずれかを混合して得られる化粧落とし用液。
【発明の詳細な説明】
【０００１】
【発明の属する技術分野】
本発明は化粧落とし用液に関わり、特に、水をベースとする化粧落とし用液にに関する。
【０００２】
【従来の技術】
従来、化粧落とし用液としてオイルをベースとするクレンジングオイルやアルコール系やグリコール系の混合水溶液が用いられていた。
【０００３】
【発明が解決しようとする課題】
上記した従来の化粧落とし用液はオイル等をベースとするために肌に悪影響を与え、また、化粧を落とした後、石鹸や水等により洗顔を行わなければならなかった。
【０００４】
本発明は、上記問題を解決するためになされたもので、その目的とするところは、化粧を落とした後、石鹸や水等により洗顔を行う必要がなく、肌に悪影響を与えることのない化粧落とし用液を提供することにある。
【０００５】
【課題を解決するための手段】
この発明の化粧落とし用液は、電気伝導度が５０μＳ／ｃｍ以下の精製水からなるものである。通常の水をイオン交換膜や逆浸透膜を通して溶解イオンを除去することにより上記の精製水を得ることができる。
【０００６】
また、この発明の化粧落とし用液は、電気伝導度が５０μＳ／ｃｍ以下の精製水に植物性界面活性剤、アルカリ金属塩、またはアルカリ土類金属塩のいずれかを混合して得られるものである。
【０００７】
また、この発明の化粧落とし用液は、酸化還元電位（Ｏｘｉｄａｔｉｏｎ　Ｒｅｄｕｃｔｉｏｎ　Ｐｏｔｅｎｔｉａｌ）が−２００ｍＶ以下の電解水に植物性界面活性剤、アルカリ金属塩、またはアルカリ土類金属塩のいずれかを混合して得られるものである。酸化還元電位が−２００ｍＶ以下の電解水は通常の水に交番電界を加えることにより得ることができる。このような電解水に植物性界面活性剤、アルカリ金属塩、またはアルカリ土類金属塩のいずれかを混合することにより酸化還元電位を長時間に亘り安定することができる。
【０００８】
また、この発明の化粧落とし用液は、７０００ガウス以上の磁界中を循環させた水に植物性界面活性剤、アルカリ金属塩、またはアルカリ土類金属塩のいずれかを混合して得られるものである。このような水は長時間に亘り活性水素が増えた状態が保たれ油脂をベースとする化粧品を容易に洗い落とすことができる。
【０００９】
また、この発明の化粧落とし用液は、水道水、井戸水または川の水に植物性界面活性剤、アルカリ金属塩、またはアルカリ土類金属塩のいずれかを混合して得られるものである。
【００１０】
上記各化粧落とし用液は水を主体としているため、肌に悪影響を与えず、また、化粧を落とした後洗顔する必要がない。
【００１１】
【発明の実施の形態】
以下、本発明の実施例を説明する。第１の実施例の化粧落とし用液は通常の水をイオン交換膜や逆浸透膜により処理することにより、電気伝導度を５０μＳ／ｃｍ以下とし、この精製水に植物性界面活性剤を１重量％となるように加えて得られた。
【００１２】
第２の実施例の化粧落とし用液は、通常の水をイオン交換膜や逆浸透膜により処理することにより、電気伝導度を５０μＳ／ｃｍ以下とし、この精製水にＫ２　ＣＯ３　、Ｎａ２　ＣＯ３　、ＭｇＳＯ４　およびＣａ０の混合物を加えて０．１重量％水溶液として得られた。
【００１３】
第３の実施例の化粧落とし用液は通常の水に交番電界を加えることにより酸化還元電位を−２００ｍＶ以下とし、この水に植物性界面活性剤を１重量％となるように加えて得られた。
【００１４】
第４の実施例の化粧落とし用液は、通常の水に交番電界を加えることにより酸化還元電位を−２００ｍＶ以下とし、この水にＫ２　ＣＯ３　、Ｎａ２　ＣＯ３　、ＭｇＳＯ４　およびＣａ０の混合物を加えて０．１重量％水溶液として得られた。
【００１５】
第５の実施例の化粧落とし用液は、通常の水１０Ｌを７０００ガウスの磁界中を流量４０Ｌ／ｍｉｎで３０分間循環させた水に植物性界面活性剤を１重量％となるように加えて得られた。
【００１６】
第６の実施例の化粧落とし用液は、通常の水１０Ｌを７０００ガウスの磁界中を流量４０Ｌ／ｍｉｎで３０分間循環させた水にＫ２　ＣＯ３　、Ｎａ２　ＣＯ３　、ＭｇＳＯ４　およびＣａ０の混合物を加えて０．１重量％水溶液として得られた。
【００１７】
第７の実施例の化粧落とし用液は、水道水、井戸水または川の水等の通常の水に植物性界面活性剤を１重量％となるように加えて得られた。
【００１８】
第８の実施例の化粧落とし用液は、水道水、井戸水または川の水等の通常の水に通常の水にＫ２　ＣＯ３　、Ｎａ２　ＣＯ３　、ＭｇＳＯ４　およびＣａ０の混合物を加えて０．１重量％水溶液として得られた。
【００１９】
このような各実施例の化粧落とし用液は容器に入れた状態で使用することができるが、コットン、不織布、ガーゼ等に含浸させ水分の蒸発を防ぐパックに納めた状態として用いることもできる。このようにパックに納めたものは携帯に便利である。
【００２０】
上記各実施例の化粧落とし用液を１０代〜６０代の各年代の女性を対象として試験した、その結果安価な化粧品をした場合と、高価な化粧品をした場合のいずれの場合も従来の化粧落とし用液と何等変わりなく化粧を落とすことができ、差異は認められなかった。
【００２１】
従来の化粧落とし用液によりマニュキュアを落とした後は、爪または皮膚が白くなる等、かなりの悪影響があったが、その後で上記各実施例の化粧落とし用液で拭くと白い部分が中和されて白色が消えた。
【００２２】
【発明の効果】
本発明の化粧落とし用液によれば、化粧を落とした後、石鹸や水等により洗顔を行う必要がなく、肌に悪影響を与えることがない。また、水溶性であるため、二次公害の発生が生じることがなく、環境に悪影響を与えない。
(57)【要約】【課題】自動車の車輛を保護するカバ−は別に用意したシ−トカバ−等のカバ−を必要に応じその都度、車輛に着脱するので大変な手間が掛かる上、保管も非常に煩わしく、且つ不十分であるため夏季の高温、冬季の凍結、等による多くの被害が発生している現状であ。【解決手段】車輛の屋根に、収納ケ−ス１内にバネ式巻取りカバ−２を収め、該ケ−ス１の下部にマグネットシ−ト４を設ける、該ケ−ス１の長手方向の両端に盗難防止ベルト５を設けてなる、自動車用保護カバ−ユニットを装着する。バネ式巻取りカバ−２のフック７でカバ−を引き出し伸ばしカバ−を車輛に係止する。フック７を外すとカバ−は自動で収納ケ−ス１内に収まる。盗難防止ベルト５はトア−を閉めると自動的に車輌とドア−の間に挟み込まれ盗難防止に非常に有効なものである。【選択図】　　　　　図１
2004131036.tif 000002
【特許請求の範囲】
【請求項１】
バネ式巻取りカバ−を収納ケ−ス内に収め、該収納ケ−スの下部にマグネットシ−トを設けてなる自動車用保護カバ−ユニット
【請求項２】
上記、収納ケ−スの長手方向の両端に盗難防止ベルトを設けたことを特徴する請求項第１項記載の自動車用保護カバ−ユニット
【発明の詳細な説明】
【０００１】
【発明の属する技術分野】
本発明は自動車用保護カバ−ユニットに関するものである。特にバネ式巻取りカバ−ユニットに関するものである
【０００２】
【従来の技術】
従来の自動車を保護するカバ−は、シ−トカバ−等のカバ−を別に用意して、必要に応じその都度、車輛に着脱しており、車輌をカバ−し保護するために大変な手間を必要としていたものである。
【０００３】
【発明が解決しようとする課題】
自動車の車輌を保護する上述のようにシ−トカバ−等のカバ−を別に用意し、必要に応じて着脱するのは大変な労力を必要とする等の欠点があつた。その上シ−トカバ−等カバ−の保管も非常に煩らわしいものであつた
【０００４】
これらの欠点、煩らわしさのため多くの車輛は車体を全くカバ−しないため、夏季の室内温度の上昇による、また冬季の雪や霜により凍結する等の被害が多く発生している現状である。
【０００５】
【課題を解決するための手段】
そこで、本発明は上記の事情に鑑み、車輌の保護カバ−の取扱いが容易であり、装着が簡単で、常に車輛を保護する事の出来るものとして、バネ式巻取りカバ−を収納ケ−ス内に収め、マグネットシ−トにより車体に装着する。バネ式巻取りカバ−を引出し、伸ばして車輛を簡単にカバ−する、カバ−は自動で巻取り収納ケ−ス内に収まる。
【０００６】
また、収納ケ−スの長手方向の両端に盗難防止ベルトを設ける、自動車のドア−を閉めている間、該ベルトは盗難防止に有効なものである。
【０００７】
【発明の実施の形態】
本発明を添付する図面に示す具体的な実施例に基づいて、以下詳細に説明する。
【０００８】
図１に示すものは、収納ケ−ス１内に、バネ式巻取りカバ−２を収め、サイドキヤップネット６を外嵌めしビス９で螺締めする、収納ケ−ス１の下部にマグネットシ−ト４により車輛の屋根に装着する。収納ケ−ス１の左右両端に盗難防止ベルト５を設ける。
【０００９】
図２に示すものは、収納ケ−ス１内にバネ式巻取り軸３を有するバネ式巻取りカバ−２を収める、同カバ−２にフック７を設ける。サイドキヤップ６に巻取り軸受８を設け、収納ケ−ス１に外嵌めしビス９で螺締めする。収納ケ−ス１の下部にマグネットシ−ト４を設ける。同ケ−ス１の左右両端に盗難防止ベルト５を設けた構成部品図である。
【００１０】
図３に示すものは、本発明の保護カバ−ユニットを車輌の屋根に装着した一実施例の状態をあらわす概念図である。
【００１１】
図４に示すものは、本発明の保護カバ−ユニットを車輛の屋根に装着し、ハネ式巻取りカバ−２がフロントをカバ−しフック７で車輛に係止する、リヤ−もカバ−出来る。また盗難防止ベルト５はドア−の内側に挟み込まれている。一実施例の状態の概念図である。なお、フック７を外すとカバ−は自動で巻取りケ−ス内におさまる。
【００１２】
ユニット式で部品の交換は簡単である、車種により形状、仕様は自由に決める事が出来る。特にバネ式巻取りカバ−の材質、色彩、寸法は、車種、好みにより適したものが容易に選定出来るものである。
【００１３】
【発明の効果】
本発明は上述のように、車輛に装着が非常に簡単で安全である。車輌の保護カバ−はバネ式巻取り式で操作が容易で簡便である。また、盗難防止ベルトはドア−を閉めると自動的に車輛とドア−の間に挟み込まれ盗難防止に非常に有効なものである。
【００１４】
なお本発明は、太陽光による自動車の車内の温度の上昇によるインテリヤの変形変色の防止及び雪や霜による凍結の防止に有効なものである。
【００１５】
本発明は、装着は常時又は駐車時で着脱は容易であり且つ安全である。完全ユニット方式であり、部品の交換が簡単に出来る安全でコンパクトで経済的な等、多くの特徴をもつ自動車用保護カバ−ユニットである
【図面の簡単な説明】
【図１】本発明の一実施例に係る斜視図である。
【図２】本発明の一実施例に係る部品構成図である。
【図３】本発明の一実施例に係る概念図である。
【図４】本発明の一実施例に係る概念図である。
【符号の説明】
１　　収納ケ−ス
２　　バネ式巻取りカバ−
３　　バネ式巻取り軸
４　　マグネットシ−ト
５　　盗難防止ベルト
６　　サイドキヤップ
７　　フック
８　　巻取り軸受
９　　ビス
【図１】
2004131036.tif 000003
【図２】
2004131036.tif 000004
【図３】
2004131036.tif 000005
【図４】
2004131036.tif 000006
(57)【要約】【課題】画板や厚紙等の画材にへらにより自在に描画することができて、しかも、描かれた絵が油絵の風合いを呈する液状粘土を提供することをその課題とする。【解決手段】ＣＭＣ（カルボキシメチルセルロース）か、これと同効質材の水溶液に、植物性微粉末と、アルギン酸ナトリウムか、これと同効質材を加えて混練することにより、へら塗りに適した状態の液状粘土素体を調製し、この液状粘土素体に顔料を添加してなることを特徴とする。【選択図】　　　　なし【特許請求の範囲】
【請求項１】
カルボキシメチルセルロースか、これと同効質材の水溶液に、植物性微粉末と、アルギン酸ナトリウムか、これと同効質材を加えて混練することにより、へら塗りに適した状態の液状粘土素体を調製し、この液状粘土素体に顔料を添加してなる液状粘土。
【発明の詳細な説明】
【０００１】
【発明の属する技術分野】
本発明は、正確には粘土ではないが、粘土に液体を加えたような粘り気のある素材で、主に描画に適する液状粘土に関する。
【０００２】
【従来技術】
従来の粘土は、工作に適した柔らかさに練ったものから乗物、動物、植物、人、建物、器物など好きな物体を立体的に表現する粘土細工用として市場に提供されている（例えば、非特許文献１参照）。
【０００３】
【非特許文献１】
世界大百科事典（第２２巻）株式会社平凡社、１９８８年４月２８日初版発行、左欄第４０行〜中欄第２６行
【０００４】
【発明が解決しようとする課題】
しかしながら前記のように細工用として調製された粘土は、へらによって描画材へ絵を描くことはできないものである。
【０００５】
本発明は前記問題点を解消し、画板や厚紙等の描画材へへらで自在に描画することができて、しかも、描かれた絵が油絵の風合いを呈する液状粘土を提供することをその課題とする。
【０００６】
【課題を解決するための手段】
前記課題を解決するため、本発明に係る液状粘土は、カルボキシメチルセルロースか、これと同効質材の水溶液に、植物性微粉末と、アルギン酸ナトリウムか、これと同効質材を加えて混練することにより、へら塗りに適した状態の液状粘土素体を調製し、この液状粘土素体に顔料を添加してなることを特徴とする。
【０００７】
【発明の実施の形態】
以下に本発明に係る液状粘土の実施形態を説明する。
【０００８】
この実施形態に示す液状粘土は、カルボキシメチルセルロースか、これと同効質材の水溶液と、植物の微粉末と、アルギン酸ナトリウムか、これと同効質材との混練で液状粘土素体を調製し、この液状粘土素体を顔料の添加により着色して描画できる素材として構成としたものである。
【０００９】
上記カルボキシメチルセルロースは、製紙の過程においてパルプから取出されるもので、木材の繊維を結合している成分であり、食品の増粘材や医薬品にも使用される食品添加物で安全性が高いものである。本発明は、このカルボキシメチルセルロースを、植物の微粉末を描画材へ接着するために使用するものであるから、これと同一の機能を果たし、しかも、前記の通りの安全性を有するものであれば、他の材料を使用することも可能である。
【００１０】
植物性微粉末は、木や草の本体、または、これらから採取した実等を微粉砕したものであれば総て利用できる。しかし、液状粘土をなるべく廉価に市場提供するためには、他の産業から排出される廃棄物を利用して、この廃棄物が細かい粉末の場合は篩い分けをし、塊状や粒状等の場合は粉砕して使用することが適当である。そして、その粒度は８０〜１００メッシュ程度でもよい。しかし、更なる微粉砕が経済的に製造できるならば、粉末は一層微細なものとして用いることが好ましい。
【００１１】
アルギン酸ナトリウムは、海草から抽出された粘性多糖類であり、食品の増粘材、染色用の糊料としても使用される食品添加物であって安全性が高く、あらゆる化学染料に対しても化学反応を起こさない特性を有する。そして、本発明においては、液状粘土の塗り肌を滑らかにする機能を果たさせる。従って、これと同一の機能を有して、かつ、前記の安全性を有するものであれば、他の材料を使用することができる。
【００１２】
顔料は、水や有機溶剤に不溶の無機顔料、有機顔料の微粉末状のものを用いるものであり、その色種は彩色描画の基本となる白色、赤色、青色、黄色、緑色、茶色、黒色の７色か、必要に応じてそれ以外の顔料を採用することもある。
【００１３】
前記材料により液状粘土を調製するには、ニーダーにカルボキシメチルセルロースの３％水溶液６４±１％と、１００メッシュの木材の粉末２５±６％を投入して１０分間混練する。そして、この混練体に酸化チタン（色によって配合が変わる）１０±５％とアルギン酸ナトリウム１〜２％（すべりをよくする）を加えて１０分間の混練を行ない、へら塗りに適した状態の液状粘土素体を調製する。
【００１４】
前記のように液状粘土素体が調製されたら、この液状粘土素体を必要とする色数、例えば、赤色、青色、黄色、緑色、茶色、黒色の６色の場合は６つに区分する。そして、区分された各液状粘土素体に赤色、青色、黄色、緑色、茶色の顔料を１％ずつ加えて１０分間混練する。こうすると、前記各色の顔料が液状粘土素体中に分散して液状粘土素体を均等に着色し、赤色、青色、黄色、緑色、茶色の６色の液状粘土を完成させる。
【００１５】
なお、白色の液状粘土だけは材料の配合を代えて調製する必要がある。即ち、カルボキシメチルセルロースの３％水溶液６４％に、木材の粉末を１５％に減少させ白色顔料の酸化チタンは２０％にして液状粘土素体を調製する。そして、この液状粘土素体に１％のアルギン酸ナトリウムを加えて混練すると完成する。完成した液状粘土は、水を加えた粘土のような粘りを有する有色の素材である。
【００１６】
前記のように完成させた各色の液状粘土は、へらで取出し易いように広口に形成した合成樹脂製の容器に定量を充填して、口部にはシール部材を備えたねじ蓋を被せて、水分の蒸散が抑えられるように保存する。
【００１７】
次に、完成した前記７色の液状粘土を使用するときは、絵画を描く要領で使えばよい。描画材として木材の合板か、厚紙等の木材の粉末が付着する材料のものを用いて、この描画材に希望する単色の液状粘土をへらで取出すか、または、複数色の液状粘土をへらにより取出して、へらを使って練り混ぜることにより希望する色を作り、これらの色の液状粘土をへらにより描画材へ塗り付けて絵画を描き上げる。
【００１８】
描き上げられた絵画は、数時間で液状粘土が乾燥して、混入した木材の粉末が描画材の上に油絵の具のような盛り上がりを形成し、油絵同様の重厚な風合いを呈する。この状態は屋内ではそのままで保持されるが、屋外では雨水等に犯されるので、アクリル系等の艶出し塗料を塗布して表面を被覆させる。こうすると、液状粘土が被覆により保護されて屋外へ設置することができるようになる。
【００１９】
【発明の効果】
請求項１に係る発明によれば、次に示す効果が得られる。
（１）液状粘土は、へらにより塗り及び混色を行なって、好みの彩色絵画を手を汚さず自在に描けて、しかも、描かれた絵は短時間で乾き、油絵のような重厚な風合いを具現する。
（２）液状粘土は、主原料の植物の粉末を産業廃棄物から得れば、資源を有効利用することができて、しかも、製品のコストダウンを図ることが可能となり、かつ、接着剤や糊料には食品添加物として認定されるものを用いるため、幼児用、学童用等としても十分な安全性を有する。
(57)【要約】【課題】着心地がよく楽で便利な新しいマタニティブラジャーを提供する。【解決手段】前開きマタニティブラジャーの左身頃（１）と右身頃（２）を連結する裏土台（３）にワイヤー（４）と裏カップ（５）を設けた前開きマタニティブラジャー（６）を作成することを特徴とする。【選択図】　　図１
2004131906.tif 000002
【特許請求の範囲】
【請求項１】
前開きマタニティブラジャーの左身頃（１）と右身頃（２）を連結する裏土台（３）にワイヤー（４）と裏カップ（５）を設けた前開きマタニティブラジャー（６）。
【発明の詳細な説明】
【０００１】
【発明の属する技術分野】
この発明は、前開きマタニティブラジャーに関するものである。
【０００２】
【従来の技術】
従来、前開きマタニティブラジャーは次のようなものがあった。
前開きマタニティブラジャーは止め具の種類によりＥＬホックタイプやスナップタイプやフロントホックタイプなどがあったが左身頃（１）と右身頃（２）を連結する裏土台（３）を設けていた。
【０００３】
【発明が解決しようとする課題】
これは次のような欠点があった。
前開きマタニティブラジャーの裏土台（３）は表カップ（７）を開いた時に左身頃（１）と右身頃（２）を分離させない役目と表カップ（７）を閉じた時に表カップ（７）を止め具（８）で固定する役目を持っていたがバストを保持する性能がなかった。そのため、着用者は表カップ（７）を開くとバストがずれるので着心地が悪く表カップ（７）を閉じるたびにバストの位置を直さなければならず不便であった。
本発明は以上の欠点を解決し、表カップ（７）を開いた時でもバストを保持して表カップ（７）を閉じるたびにバストの位置を直さなくてもいいようにして着心地が良く便利な新しい前開きマタニティブラジャーを開発しようとするものである。
【０００４】
【課題を解決するための手段】
前開きマタニティブラジャーの左身頃（１）と右身頃（２）を連結する裏土台（３）にワイヤー（４）と裏カップ（５）を設けた前開きマタニティブラジャー（６）を作成する。
【０００５】
【発明の実施の形態】
以下、本発明の実施の形態について説明する。
前開きマタニティブラジャーの左身頃（１）と右身頃（２）を連結する裏土台（３）にワイヤー（４）と裏カップ（５）を設けた前開きマタニティブラジャー（６）を作成する。
本発明は以上の構成よりなっている。
なお本発明は、前開きマタニティブラジャーに限らず上開きマタニティブラジャーやストラップオープンマタニティブラジャー、カップクロスマタニティブラジャー、ラウンドタイプマタニティブラジャーにも応用できるのは言うまでもない。
また、バストの保持力を高めるためにマタニティブラジャー以外の一般のブラジャーにも応用できる。
また、裏カップ（５）はなくてもよい。
また、裏カップ（５）はリフト型や三日月型など任意の形でよい。
また、表カップ（７）を固定するための止め具（８）はＥＬホックやフロントホックや各種スナッパー、マジックテープなどを使うことが出来るので形式は問わないのは言うまでもない。
なお、ワイヤー（４）と裏カップ（５）と表カップ（７）はそれぞれ左右があり対称である。
【０００６】
【発明の効果】
本発明を使用することによって、裏土台（３）に設けたワイヤー（４）と裏カップ（５）が表カップ（７）の開閉に関わらずバストを保持する。そのため着用者は表カップ（７）を開いた時にバストがずれないので着心地がよく表カップ（７）を閉じる時にバストを直さなくても良いので大変楽で便利である。
【図面の簡単な説明】
【図１】本発明の正面図である。
【図２】本発明の背面図である。
【符号の説明】
１　左身頃
２　右身頃
３　裏土台
４　ワイヤー
５　裏カップ
６　前開きマタニティブラジャー
７　表カップ
８　止め具
【図１】
2004131906.tif 000003
【図２】
2004131906.tif 000004
(57)【要約】【課題】毛髪が薄くなったり、抜け落ちたりした時に違和感のあるかつらをかぶることなく低コストで気軽に自然な感じでかぶる事のできる毛髪付きバンダナを提供する。【解決の手段】バンダナの前から横の部分に毛髪を付け頭上部にボリュームを持たせる為に薄いスポンジを縫い付けて構成する。【選択図】　　図１
2004131907.tif 000002
【特許請求の範囲】
【請求項１】
毛髪がなくなった人が気軽にかぶることができるバンダナ
【発明の詳細な説明】
【０００１】
【発明の属する技術分野】
抗がん剤の使用する人が増えるとともに副作用で髪が抜け生えてくるまでの間手軽に使用できるものである。
【０００２】
【従来の技術】
従来のバンダナやスカーフよりも髪がつくことで自然な頭部になる。
【０００３】
【発明が解決しようとする課題】
今までのバンダナは髪の毛がある人はよいが髪がない人がかぶるとハゲているように見える。
【０００４】
【課題を解決するための手段】
バンダナの頭部に厚みを持たせる為にスポンジを薄く縫込みバンダナの周りに毛をつけることにより自然にボリュームが出る。
【０００５】
【発明実施の形態】
以下、本発明の実施の形態について説明する。
（イ）．１バンダナ本体前部から横にかけて、２毛髪をつける。
（ロ）．３バンダナ内部は厚みを持たせるため薄いスポンジを、バンダナを半分に折った中に縫い付ける。
【０００６】
【発明の効果】
髪のなくなった人、薄い人が気軽にかぶる事により、気分が若返り活動的になる。
【図面の簡単な説明】
【図１】本発明の正面図である。
【符号の説明】
１　バンダナ本体
２　毛髪
３　バンダナ内部
【図１】
2004131907.tif 000003
(57)【要約】【課題】この発明は、着用中の体から出る水分は吸い取るが、外側に滲み出難く、外側に滲み班の出来ないインナーウエアに関するものである。【解決手段】体側の内側を吸水性繊維で外側を撥水性繊維または撥水加工繊維の多重構造組識で作成する。内側の吸水性繊維で体から出る水分を吸水するが、外側の撥水性繊維または撥水加工繊維は撥水して滲み無く、滲み班は出来ない。また、外側の撥水性繊維または撥水加工繊維で遮断されて水分は外に滲み出難い。【選択図】図１
2004131904.tif 000002
【特許請求の範囲】
【請求項１】
（イ）体側の内側に吸水性繊維を使用する。
（ロ）外側に撥水性繊維または撥水加工繊維を使用する。
（ハ）吸水性繊維と撥水性繊維または撥水加工繊維での多重構造組織の編地または布帛で作成する。
以上の如く構成された体から出る水分は吸い取るが、外側に滲み班が出来ないインナーウエア。
【発明の詳細な説明】
【０００１】
【発明の属する技術分野】
本発明は、体側の内側に吸水性繊維を用い、外側に撥水性繊維または撥水加工繊維を用いての多重構造組識で、体から出る水分を内側の吸水性繊維で吸水するが、外側の撥水性繊維または撥水加工繊維には水分は吸水せず、外見上で滲み班の出来無いインナーウエアに関するものである。
【０００２】
【従来の技術】
従来のものは、体から出る水分が滲み出てそこが滲み班になる。その為に、
Ａ．少量の失禁等での水分でも滲み班が出来て、時には水分が上着に滲み移り上着にも滲み班が出来てしまう事もある。
Ｂ．汗をかいた時に特に汗が多く出る部位には滲み出た水分で滲み班が出来る。
等々で、見苦しくなる。
【０００３】
【発明が解決しようとする課題】
本案は、それらを解消して体から出る汗や少量の失禁等の水分は吸収するが、外観上は滲み班の出来無いインナーウエアする為に発明されたものである。
【０００４】
【課題を解決する為の手段】
いま、その構成を説明すると、
（イ）体側の内側に吸水性繊維を使用する。
（ロ）外側に撥水性繊維または撥水加工繊維を使用する。
（ハ）吸水性繊維と撥水性繊維または撥水加工繊維の多重構造組織での編地または布帛を作成する。
（ニ）編地または布帛を縫製加工する。
以上のように作成する。
【０００５】
【発明の実施の形態】
発明の実施の形態を図面について説明すれば、編地または布帛を内側１と、外側２の多重構造組識にして作成する。内側１には、綿や絹等の吸水性繊維を使用する。外側２には撥水性繊維または撥水加工繊維を使用する。
【０００６】
これにより、体３から出る水分４は編地または布帛の内側１の吸水性繊維で吸水する。
【０００７】
編地または布帛の外側２の撥水性繊維または撥水加工繊維は吸水せず滲み無い。
【０００８】
外側２に滲み班は出来ない。
【０００９】
内側１と外側２を多層構造組織で作成した編地または布帛を縫製するが、吸水性繊維と撥水性繊維を別々に作成した編地または布帛を重ねて縫製してもよい。
【００１０】
縫製が不要の成型加工でも良い。
【００１１】
【発明の効果】
本発明は、以上説明したように構成されているので、以下に記載されるような効果を奏する。
【００１２】
（１）体から出る水分は編地または布帛の内側の吸水性繊維に吸収される。
（２）編地または布帛の外側の撥水性繊維または撥水加工繊維は水分を吸収せず、滲み班は出来無い。
（３）内側の吸水性繊維の保水能力内であれば内側の吸水性繊維で水分を保水して、外側の撥水性繊維または撥水加工繊維が遮断する為に上着に滲み移らない。
（４）オムツや従来のパンツの上に着用する中穿きパンツに用いれば、オムツ等から滲み出た尿等の水分を遮断してさらに外への滲み出しと滲み班を防ぐ。
【図面の簡単な説明】
【図１】編地または布帛の切断面と体から出る水分の移動を図式化した模式図
【符号の説明】
１　体側の内側層の吸水性繊維
２　外側層の撥水性繊維または撥水加工繊維
３　体
４　水分
【図１】
2004131904.tif 000003